(57)【特許請求の範囲】
【請求項１】
左右１対の脚体と、左右の脚体間に架設された幕板とで囲まれるデスクの基部空間内に設けた天板の支持位置を、上下に変更可能としたデスク装置において、
下縁部適所に上向切込みを設けた背面板と、背面板の前面に配置された物品載置板とを有する棚ユニットを、背面板が前記幕板と当接もしくは近接する状態で、天板上に載置されており、
前記幕板における背面板の上向切込みと対応する位置に、上下方向の挿通長孔を穿設し、当該挿通長孔と前記上向切込みが、天板の支持位置を上下に変更した場合においても常に重合して配置され、前後方向の配線空間が形成されるように、前記天板を支持してあることを特徴とするデスク装置。
【請求項２】
左右１対の脚体と、左右の脚体間に架設された幕板とで囲まれるデスクの基部空間内に設けた天板の支持位置を、上下に変更可能としたデスク装置において、
下縁部適所に上向切込みを設けた背面板と、背面板の前面に配置された物品載置板とからなる棚ユニットを、背面板が前記幕板と当接もしくは近接する状態で天板上に載置するか、または天板下方に配置するかのいずれかを選択することができ、
前記棚ユニットを前面天板上面に載置した際に、前記幕板の上向切込みと対応する位置に、上下方向の挿通長孔を穿設し、当該挿通長孔と上向切込みが常に重合して、前後方向の配線空間が形成されるように、前記天板を支持してあることを特徴とするデスク装置。
【請求項３】
幕板前面から前方に向けて突設された上下方向を向く幕板仕切板の上端を、天板下方に配置した棚ユニットに設けた上向切込みに係合して保持した請求項２に記載のデスク装置。
【請求項４】
棚ユニットにおける上向切込みの上縁から上下方向に延びる棚仕切板を前方に向けて突設し、棚仕切板の下面と幕板仕切板の上面を接触させて、前記棚ユニットを保持した請求項３記載のデスク装置。    
【発明の詳細な説明】
【技術分野】
【０００１】
本発明は、一般家庭や小規模オフィス等で、学習や執務を行う際に使用されるデスク装置に関する。
【背景技術】
【０００２】
一般家庭で学習するために使用されるデスク装置では、使用者が成長して体格が変化すると、使いやすいと感じる天板の高さが変わってしまうため、これらに対応して、天板の高さを変更出来るデスク装置が望まれている。
こうした問題に鑑み、デスクの天板の位置を上下に変更可能としたデスクが多く見られる（特許文献１、２）。これらのデスクでは、使用者の体格が変化した場合でも、天板の高さを調節することによって、使い勝手の良い状態とすることが出来る。
【０００３】
学習用のデスク装置では、天板上に本やノートなどを収容するための上棚が載置されている場合が多い。このデスクは、物品収容空間を確保し、使い勝手を良好にすることが出来るが、その代わりに、デスク上部後方の空間が棚によって占有され、デスク装置としての存在感が増して圧迫感を生じさせるという問題がある。
【０００４】
この問題は、前述の天板高さを変更可能にしたデスク装置でも同様であり、天板の上方に設けた書類等を収容するための上棚も、天板と同期して上下動作をすることになるため、天板高さの変更に応じて、デスク全体の高さも変更されることになり、同様の問題が生じてしまう。
【０００５】
このような問題点に鑑み、デスクにおける棚の取付位置を、天板上面と天板下方とに選択可能とすることにより、デスク全体の高さを低く抑える手法が提案されている（特許文献３、４）が、棚の寸法および重量が大きいと、取付けの位置決めの作業性が悪かった。
【０００６】
また、天板上に載置して使用される電  子機器等の配線は、天板の高さを変更した場合においても、体裁良く収められることが望ましいが、通常は、デスク背面や、側面に沿って外部に露呈して配線されている場合が多く、体裁が良いとはいえないものが多かった。
【０００７】
配線挿通口内へ配線を通して、複数の部材同士を接続することは公知であるが（例えば特許文献５）、棚ユニットを載置したデスク装置における配線に関しては、従来提案がなされていない。
【特許文献１】特開平１１−４６８７０号公報
【特許文献２】特開２００６−１３００４８号公報
【特許文献３】実用新案第３０３３９３９号公報
【特許文献４】特開２００１−２５４１３号公報
【特許文献５】特開２００５−２９６０８６号公報
【発明の開示】
【発明が解決しようとする課題】
【０００８】
本発明は、上記事情になされたものであって、天板上に載置して使用される電子機器等の配線を、体裁良く収めることが出来るように、天板の高さを変更できるようにしたデスク装置、より詳細には、配線を体裁良く収めることが出来るとともに、棚の取付位置を、天板上または天板下方に、容易な作業で変更することが可能で、使い勝手、および体裁が良好なデスク装置を提供することを目的とする。
【課題を解決するための手段】
【０００９】
本発明によると、上記課題は、次のようにして解決される。
（１）  左右１対の脚体と、左右の脚体間に架設された幕板とで囲まれるデスクの基部空間内に設けた天板の支持位置を、上下に変更可能としたデスク装置において、下縁部適所に上向切込みを設けた背面板と、背面板の前面に配置された物品載置板とからなる棚ユニットを、背面板が前記幕板と当接もしくは近接する状態で、天板上に載置されており、前記幕板の上向切込みと対応する位置に、上下方向の挿通長孔を穿設し、当該挿通長孔と前記上向切込みが、常に重合して、前後方向の配線空間が形成されるように、前記天板を支持する。
【００１０】
（２）  左右１対の脚体と、左右の脚体間に架設された幕板とで囲まれるデスクの基部空間内に設けた天板の支持位置を、上下に変更可能としたデスク装置において、下縁部適所に上向切込みを設けた背面板と、背面板の前面に配置された物品載置板とからなる棚ユニットを、背面板が前記幕板と当接もしくは近接する状態で天板上に載置するか、または天板下方に配置するかのいずれかを選択することができ、前記棚ユニットを前面天板上面に載置した際に、前記幕板の上向切込みと対応する位置に、上下方向の挿通長孔を穿設し、当該挿通長孔と上向切込みが常に重合して、前後方向の配線空間が形成されるように、前記天板を支持する。
【００１１】
（３）  上記（２）項において、幕板前面から前方に向けて突設された上下方向を向く幕板仕切板の上端を、天板下方に配置した棚ユニットに設けた上向切込みに係合して保持する。
【００１２】
（４）  上記（３）項において、棚ユニットにおける上向切込みの上縁から、上下方向に延びる平板状の棚仕切板を前方に向けて突設し、棚仕切板の下面と幕板仕切板の上面を接触させて、前記棚ユニットを保持する。
【発明の効果】
【００１３】
本発明によると、次のような効果を奏することができる。
請求項１記載の発明によると、デスク装置の幕板に穿設した挿通長孔と、棚ユニットの下縁の当該挿通長孔の対応個所に形成した上向切込みが、天板が上下しても常に重合するよう構成しているので、電子機器等の配線の挿通口が確保され、天板上に配線が散乱することがなくなる。
【００１４】
請求項２記載の発明によると、棚ユニットを、天板上に載置するか、天板下方に配置するかのいずれかを選択できるため、使用者の要望に合わせて使用態様を変更することが出来る。
【００１５】
請求項３記載の発明によると、幕板仕切板の上端を、天板の下方に配置した棚ユニットの上向切込みに係合できるため、棚ユニットがより確実に保持される。
【００１６】
請求項４記載の発明によると、棚仕切板下面と幕板仕切板の上面を接触させて、棚ユニットを更に確実に保持できる。
【発明を実施するための最良の形態】
【００１７】
次に、本発明に係るデスク装置の好ましい実施例を、添付図面に基づいて説明するが、これは本発明を限定するものではない。
【００１８】
図１は、棚ユニットを天板上に載置した本発明のデスク装置の第１実施例を示す斜視図である。図２は、同じ第１実施例において、棚ユニットを天板下方に配置した例を示す。図３は、棚ユニットを除去したデスク装置の正面図である。図４は、棚ユニットの正面図である。図５〜図７は、図１のデスク装置で天板の固定位置を変化させた状態を示す縦断側面図であり、図５は、図１のｖ−ｖ線縦断面図である。図８は、図５のVIII-VIII線縦断面図、図９は、図８のIX-IX線横断面図、図１０は、上向切込みと挿通長孔の相互の位置関係を示す部分斜視図、図１１は、図５の部分拡大縦断面である。
【００１９】
床面１に立設された左右１対の脚体２、２の前部には、縦方向の通孔３が穿設され、通孔３の前後において、各脚体２には、それぞれ、上下に並び、かつ等間隔で同一高さ位置にあるに各５個のねじ孔４が穿設されている（図５〜図７参照）。
【００２０】
この脚体２は、下端のうち、後方側約５分の１を残して、前記脚体２から切り離し可能な補助脚２ａを有している。この補助脚２ａの真上に対応する脚体２のそれぞれの内側面には、等間隔で前後方向に整列する各４個の開口２ｂが形成され、これらの開口２ｂに対応する前記各補助脚２ａには、各４個の縦方向の通孔２ｃが形成されている。
【００２１】
それぞれ４個の通孔２ｃは、前記４個の開口２ｂと整合し、図１１に示す計４個のノックダウン金具２ｄ等の係止金具を収容している。
【００２２】
ノックダウン金具２ｄは、連結ピン２ｅと、円柱状の連結駒２ｆとからなる公知のもので、連結ピン２ｅの一端部は円盤状の止着部２ｇとなっており、また他端部に連設された小径軸部２ｈの先端には、拡径頭部２ｉが一体的に形成されている。
【００２３】
連結駒２ｆには、上記拡径頭部２ｉが係合される係合溝２ｊと、小径軸部２ｈが摺動可能に嵌合される溝幅の小さな円弧状のガイド溝２ｋとが、互いに連通するようにして円周方向に向かって形成されている。また、側端面には、ドライバ等により回動させうる十字溝２ｍが形成されている。
【００２４】
脚体２と補助脚２ａとを連結するには、まず補助脚２ａに設けた前記通孔２ｃに、連結ピン２ｅを下側から嵌合させて取付けたのち、脚体２に設けた開口２ｂに、連結駒２ｆを嵌合する。
【００２５】
ついで、脚体２の側端部に、通孔２ｃと連通するようにして設けられた前記開口２ｂに、連結ピン２ｅを挿入し、その小径軸部２ｈと拡径頭部２ｉを、連結駒２ｆのガイド溝２ｋと係合溝２ｊとに嵌合したのち、連結駒２ｆを、その側面の十字溝２ｍに差し込んだドライバ等により回動させる。これにより、連結ピン２ｅと連結駒２ｆとが互いに係合して抜け止めされ、脚体２と補助脚２ａとが連結される。
なお、前記脚体２の後部側の両内側面には、同じ高さになるように、２個の係合孔２ｐが形成されている。
【００２６】
側脚３と脚連結板４とを連結するには、まず側脚３の下端部の内側面に設けためねじ孔１１に、連結ピン８の雄ねじ部８aを螺合させて取付けたのち、脚連結板４の側端部に設けた上方に開口する有底孔１２に、連結駒９を嵌合する。
【００２７】
ついで、脚連結板４の側端部に、有底孔１２と連通するようにして設けられた左右方向を向くピン挿入孔１３に、連結ピン８を挿入し、その小径軸部８bと拡径頭部８cを、連結駒９のガイド溝９bと係合溝９aとに嵌合したのち、連結駒９を、その上面の十字溝１０に差し込んだドライバ等により回動させる。これにより、連結ピン８と連結駒９とが互いに係合して抜け止めされ、側脚３と脚連結板４とが連結される。
【００２８】
側脚３と幕板５、及び脚連結板４と幕板５においても、上記と同じノックダウン金具７を用いて取付けられている。
すなわち、側脚３と幕板５とを連結するには、図２に示すように、側脚３の後端部の内側面に、上下複数の連結ピン８を取付けるとともに、それと対応する幕板５の側端部に、連結駒９が嵌合される前方に開口する有底孔１２と、連結ピン８が挿入される側方に開口するピン挿入孔(図示略)とを設け、有底孔１２に嵌合した連結駒９と、ピン挿入孔に挿入した連結ピン８とを、上述した要領で互いに係合させればよい。
【００２９】
前記両脚体２、２の後端間には、幕板５が架設され、平面視前向きコ字状のデスク基部が構成されている。幕板５の左右方向の中心と、各脚体２との間のほぼ中央部には、前記各ねじ孔４とほぼ等高の位置に、ねじ孔４ａが５個ずつ上下に列設されている。
前記幕板５の下部前面には、縦方向を向く幕板仕切板６が突設され、かつ幕板５の上下方向の中間部より上方において、その左右方向のほぼ中央には、上下方向の挿通長孔７が穿設されている。
【００３０】
図１及び図５に示すように、天板８の側端は、各脚体２における最下位のねじ孔４に、図示を省略した止めねじにより止着され、天板８の後端は幕板５における最下位のねじ孔４ａに止めねじにより止着されている。
【００３１】
幕板５の上縁から上下方向の約３分の１の位置において、両脚体２、２間に、天板８が架設されている。
幕板５の前面において、幕板５と当接又は近接して、両脚体２、２間の距離と等しいか、それよりもやや短い左右幅を有する棚ユニット９が、天板８上に載置されている。
【００３２】
棚ユニット９は、背面板１０の左右側端から、それぞれ前向きに突設された左右１対の側板１１、１１と、両側板１１の内側面間に架設された物品載置板１２と、物品載置板１２の左右方向のほぼ中央に、下端が天板８より上方に位置するようにして設置された上下方向の棚仕切板１３とから成り、前記背面板１０の中央下縁部には、逆Ｕ字状の上向切込み１４が形成されている。しかして、前記のように棚ユニット９を天板８上に載置した際には、前記挿通長孔７と上向切込み１４とは、互いに重合するようにしてある。
【００３３】
幕板５の後面下端部には、天板８と同一幅を有する補助板１５が、適宜重合保持され、この補助板１５の左右両側面には、長手方向に係合溝１６が形成されている。
【００３４】
１７は、針金などから成る係止片で、中央の基部１７ａから内側に若干湾曲した後、互いに平行になるように折曲げられた１対の折曲げ部１７ｂを有する。この係止片１７の両端の折曲げ部１７ｂは、前記脚体２の２個の係合孔２ｅのそれぞれに係合し、係止片１７の基部１７ａは、脚体２の内側面に接触し、係止片１７が、脚体２に保持されている。
前記補助板１５は、その両側の係合溝１６を、前記係止片１７に係合することにより幕板５の後面の両脚体２間に保持されている。
【００３５】
図１及び図５に示すように、天板８の側面は、各脚体２の前後に設けられた上下計５個のねじ孔４のうちの最下位のものに固定され、天板８は、最も低い位置に保持されている。図１及び図５の状態では、棚ユニット９における上向切込み１４は、幕板５における挿通長孔７の下部と重合して、配線空間を形成している（図１０の１点鎖線参照）。
【００３６】
デスク装置の使用者が成長して、天板８の位置が使用者にとって低くなってしまった場合には、図１及び図５の位置にある天板８の最下位のねじ孔４への止めねじを外して、例えば下から２番目のねじ孔４を利用して天板８を保持して、図６の状態とする。
【００３７】
これにより、天板８上に載置されている棚ユニット９の上向切込み１４も、天板８と同じ高さだけ上昇するが、この上向切込み１４は、上下方向に長い挿通長孔７に沿って上昇するため、挿通長孔７は、上向切込み１４と重合して、配線空間が確保される。  
【００３８】
更に天板８を上昇させて、下から３番目のねじ孔４と対応する位置とした際（図７）にも、同様の操作で位置変更を行うことができる。この位置は、天板８上に載置される棚ユニット９の実質的な最上位であるが（図１０の１点鎖線参照）、同様に前記挿通長孔７は、上向切込み１４と重合して、配線空間が確保される。
【００３９】
使用者が更に成長した場合等で、天板８を最上位のねじ孔４にねじ止めした場合に、最上位の天板上に棚ユニット９を載置することも可能であるが、棚ユニットの安定性を考慮すると、好ましいことではない。このような際には、図２及び図６に示すように、棚ユニット９を天板８より下方に配置することが望ましい。
【００４０】
図１において、棚ユニット９を単に天板８上に載置しただけで固定しないでおくと、図１２及び図１３の配置にするために、棚ユニットを天板８下方に移動させることも、容易に行うことができる。棚ユニット９を固定している場合も、ねじを外すのみで、棚ユニットを移動させることができる。
【００４１】
図示のデスク装置では、天板８の下方に、幕板５から前向きに突出する幕板仕切板６が設けられている。天板８の上面から移動させた棚ユニット９を、両脚体２の内面間に保持するとともに、図１３に示すように、棚ユニット９の上向切込み１４を、幕板５から前方に延びる幕板仕切板６の上縁に係合すると、棚ユニット９は、天板８の下方に確実に保持される。
【００４２】
なお、挿通長孔と上向切込みの幕板及び棚ユニット背面に対する形成位置は中央とすることが好ましいが、これに限定されず、左右端を含めた任意個所とすることができる。
【００４３】
図１４は、本発明の第２実施例を示す縦断側面図、図１５は、図１４のXIV-XIV線横断面図である。この実施例は、第１実施例の改良に係るもので、第１実施例と同一の部材には、同一の符号を付して、その説明を省略する。
第２実施例は、図５から図７において、幕板５の後面下部に縦方向に配置された、天板８と同一幅を有する補助板１５を、天板拡張用として使用するようにした例である。
【００４４】
図１や図５から図７に示すように、天板８の前端面と脚体２の前端面は、横方向にほぼ整合している。電子機器等を使用する際には、天板８の大きな部分が占有されて、自由に使用できる面積が小さくなる。
【００４５】
天板としての有効利用面積を大とするためには、図５において、その係合溝１６を係止片１７に係合させて脚体２に保持されていた補助板１５を、上方に引き上げて係止片１７から脱離させる。そしてその前後いずれかの時点で、天板８も取り外しておく。
【００４６】
次いで、補助板１５と同時に離脱した２個の係止片１７のそれぞれを、図１５に示すように。その両端の折曲げ部１７ｂを、脚体２の係合孔１８に係合させ、かつその基部１７ａを脚体２の内面に接触させて、前記係止片１７を脚体２に保持する。次いで補助板１５の前記係合溝１６を前記係止片１７に係合して、後端を幕板５に接触させつつ前記補助板１５を脚体２に対して、水平方向に保持する。幕板５からは、ボルト１９を締着して補助板１５を更に確実に固定する。
【００４７】
この補助板１５の天板８方向の前面には数個の突出部２０が形成され、この突出部２０を、天板８後部の係合孔に係合して補助板１５と天板８を一体化し、更に天板８をボルト（図示略）により脚体２に固定する。
【００４８】
更に図５の状態にある補助脚２ａを、４個のノックダウン金具２ｄを通孔２ｃ２ｃから取り出すことにより、脚体２から取り外す。次いでこの補助脚２ａを、隣接する開口２ｃ間に相当する距離だけ前方に移行させ、図１４に示すように開口２ｂと一致する３個の縦方向の通孔２ｃにノックダウン金具２ｄを装着して図５より前方の位置で、補助板１５を脚体２に固定する。
これにより、天板８は、補助板１５の前後幅の分、前方に移動させられ、天板として利用できる面積は大となる。
【００４９】
第２実施例においても、第１実施例と同様に、天板８を昇降させることができ、この際、挿通長孔７と上向切込み１４が重合することにより、十分な配線空間が確保される。
更に、棚ユニット９を天板８の下方に配置する場合にも、棚ユニット９における上向切込み１４を幕板仕切板６の上縁に係合させることにより、棚ユニット９を確実に保持することができる。
【図面の簡単な説明】
【００５０】
【図１】棚ユニットを天板上に載置した本発明のデスク装置の第１実施例を示す斜視図。
【図２】棚ユニットを天板下方に配置した本発明のデスク装置の実施例を示す斜視図。
【図３】棚ユニットを除去したデスク装置の正面図。
【図４】棚ユニットの正面図。
【図５】図１のｖ−ｖ線縦断側面図。
【図６】図５の位置から、天板を上昇させた状態を示す縦断側面図。
【図７】天板を更に上昇させて、実質的な最上位とした状態を示す縦断側面図。
【図８】図５のVIII-VIII線縦断面図。
【図９】図８のIX-IX線横断面図。
【図１０】上向切込みと挿通長孔の相互の位置関係を示す部分斜視図。
【図１１】図５の部分拡大縦断面。
【図１２】図２のデスク装置の縦断側面図。
【図１３】図１２のデスク装置における棚ユニットの上向切込みと幕板仕切板の相互の位置関係を示す部分斜視図。
【図１４】本発明のデスク装置の第２実施例を示す縦断側面図。
【図１５】図１４のXV-XV線横断面図。
【符号の説明】
【００５１】
２……脚体
２ａ……補助脚
２ｂ……開口
２ｃ……通孔
２ｄ……ノックダウン金具（係止金具）
２ｅ……連結ピン
２ｆ……連結駒
２ｇ……止着部
２ｈ……小径軸部
２ｉ……拡径頭部
２ｊ……係合溝
２ｋ……ガイド溝
２ｍ……十字溝
２ｐ……係合孔
４、４ａ……ねじ孔
５……幕板
６……幕板仕切板
７……挿通長孔
８……天板
９……棚ユニット
１０……背面板
１１……側板
１２……物品載置板
１３……棚仕切板
１４……上向切込み
１５……補助板
１６……係合溝
１７……係止片
１７ａ……基部
１７ｂ……折曲げ部
１８……係合孔
１９……ボルト
２０……突出部
【図１】
0004976947.tif 000002
【図２】
0004976947.tif 000003
【図３】
0004976947.tif 000004
【図４】
0004976947.tif 000005
【図５】
0004976947.tif 000006
【図６】
0004976947.tif 000007
【図７】
0004976947.tif 000008
【図８】
0004976947.tif 000009
【図９】
0004976947.tif 000010
【図１０】
0004976947.tif 000011
【図１１】
0004976947.tif 000012
【図１２】
0004976947.tif 000013
【図１３】
0004976947.tif 000014
【図１４】
0004976947.tif 000015
【図１５】
0004976947.tif 000016